(57)【要約】【課題】ミュージックセンターに変身できる液晶テレビの提供。【解決手段】本発明は一種のミュージックセンターに変身できる液晶テレビに関わるもので、主に液晶テレビより音楽を再生するとき、映像復号装置と液晶パネルのバックライトの電源をオフする。液晶テレビはテレビチューナ、映像音声アナログ変換器、音響復号装置、液晶パネル、制御装置、指令入力装置を設ける。液晶パネルにバックライト制御端、バックライト制御端に第１状態と第２状態を設ける。液晶パネルは第１状態と第２状態の選択に従い、液晶パネルのバックライト電源をオンまたはオフする。一方、映像復号装置に正常モード／待機モードを設ける。指令入力装置が受信した指令はバックライト電源のオフ指令のとき、制御装置より制御信号を生成し、バックライト制御端を第２状態に設定して、液晶パネルを駆動して、バックライト電源をオフさせ、映像復号装置を待機モードに設定する。【選択図】図２
2007184889.tif 000002
【特許請求の範囲】
【請求項１】
テレビチューナ、映像アナログ／デジタル変換器、音声復号装置、映像復号装置、液晶パネル、制御装置及び指令入力装置を含み、
テレビチューナはテレビ信号を受信し、このテレビ信号を復号した上、第１映像伝送ストリムと第１音声伝送ストリムを生成し、
映像アナログ／デジタル変換器は映像音声信号を受信し、この映像音声信号を変換した上、第２映像伝送ストリムと第２音声伝送ストリムを生成し、
音声復号装置はテレビチューナと音声アナログ／デジタル変換器に接続し、第１と第２音声伝送ストリムを受信し、並びに選択により、第１と第２音声伝送ストリムを復号した上、音声信号を生成する、
映像復号装置を設け、テレビチューナと音声アナログ／デジタル変換器に接続し、映像伝送ストリムを受信し、並びに選択により第１と第２映像伝送ストリムを復号した上、映像信号を生成し、映像復号装置は正常モードと待機モードを設け、
液晶パネルは映像信号を受信および再生を行い、液晶パネルにバックライト制御端を設け、バックライト制御端に第１状態と第２状態を設け、液晶パネルは選択により、第１状態は液晶パネルのバックライト電源をオンするか、または第２状態の選択により、液晶パネルのバックライト電源をオフにし、
制御装置は音声復号装置、映像復号装置、および液晶パネルに接続し、制御装置は音声復号装置、映像復号装置、および液晶パネルに対する初期化および作業モードを設定し、  指令入力装置は制御装置に接続し指令を受信し、
そのうち、指令入力装置が受信した指令は映像復号装置電源およびバックライト電源のオフ指令のとき、制御装置より制御信号を生成し、バックライト制御端を第２状態に設定して、液晶パネルを駆動して、バックライト電源をオフさせ、映像復号装置を待機モードに設定することを特徴とする一種のミュージックセンターに変身できる液晶テレビ。
【請求項２】
請求項１記載のミュージックセンターに変身できる液晶テレビにおいて、更に音声装置を含み、該音声装置は音声復号装置に接続して音声信号を再生することを特徴とするミュージックセンターに変身できる液晶テレビ。
【請求項３】
請求項１記載のミュージックセンターに変身できる液晶テレビにおいて、テレビチューナはデジタル式またはアナログ式テレビチューナであり、映像音声アナログ／デジタル変換器は、映像音声信号変換器であることを特徴とするミュージックセンターに変身できる液晶テレビ。
【請求項４】
請求項１記載のミュージックセンターに変身できる液晶テレビにおいて、指令入力装置は操作パネルに設けたキーであることを特徴とするミュージックセンターに変身できる液晶テレビ。
【請求項５】
請求項１記載のミュージックセンターに変身できる液晶テレビにおいて、指令入力装置は操作パネルに設けたタッチキーであることを特徴とするミュージックセンターに変身できる液晶テレビ。
【請求項６】
請求項１記載のミュージックセンターに変身できる液晶テレビにおいて、指令入力装置は赤外線受信装置であり、赤外線リモコンの指令を受信することを特徴とするミュージックセンターに変身できる液晶テレビ。
【請求項７】
請求項６記載のミュージックセンターに変身できる液晶テレビにおいて、赤外線受信装置と制御装置は同じ集積回路に統合されることを特徴とするミュージックセンターに変身できる液晶テレビ。
【請求項８】
請求項７記載のミュージックセンターに変身できる液晶テレビにおいて、赤外線受信装置は映像復号装置とバックライト電源オフに反対する指令を受信したとき、制御装置より制御信号を生成し、映像復号装置とバックライト制御端を第１状態に設定して、液晶パネルを駆動して、バックライト電源をオンさせ、映像復号装置を正常モードに設定することを特徴とするミュージックセンターに変身できる液晶テレビ。
【請求項９】
請求項３記載のミュージックセンターに変身できる液晶テレビにおいて、映像音声信号はＨＤＭＩ伝送ストリムであることを特徴とするミュージックセンターに変身できる液晶テレビ。
【請求項１０】
請求項３記載のミュージックセンターに変身できる液晶テレビにおいて、映像音声信号はＤＶＩ伝送ストリムであることを特徴とするミュージックセンターに変身できる液晶テレビ。
【請求項１１】
請求項３記載のミュージックセンターに変身できる液晶テレビにおいて、映像音声信号はＰＣ  Ｄ−ＳＵＢ伝送ストリムであることを特徴とするミュージックセンターに変身できる液晶テレビ。
【請求項１２】
請求項３記載のミュージックセンターに変身できる液晶テレビにおいて、映像音声信号は混合ビデオＣｏｍｐｏｓｉｔｅ  Ｖｉｄｅｏ(ＡＶ ｖｉｄｅｏ)伝送ストリムであることを特徴とするミュージックセンターに変身できる液晶テレビ。
【請求項１３】
請求項３記載のミュージックセンターに変身できる液晶テレビにおいて、映像音声信号はＹ／Ｃ分離信号(Ｓ−Ｖｉｄｅｏ)伝送ストリムであることを特徴とするミュージックセンターに変身できる液晶テレビ。
【請求項１４】
請求項３記載のミュージックセンターに変身できる液晶テレビにおいて、映像音声信号は色差信号Ｃｏｌｏｒ  Ｄｉｆｆｅｒｅｎｃｅ  Ｖｉｄｅｏ(ＣＶ)すなわち、コンポネント・ビデオ (ＹＰｂＰｒ)伝送ストリムであることを特徴とするミュージックセンターに変身できる液晶テレビ。
【請求項１５】
請求項３記載のミュージックセンターに変身できる液晶テレビにおいて、伝送ストリムコードはＭＰＥＧ２伝送ストリムであることを特徴とするミュージックセンターに変身できる液晶テレビ。
【請求項１６】
請求項３記載のミュージックセンターに変身できる液晶テレビにおいて、伝送ストリムコードはＭＰＥＧ４伝送ストリムであることを特徴とするミュージックセンターに変身できる液晶テレビ。
【請求項１７】
請求項３記載のミュージックセンターに変身できる液晶テレビにおいて、伝送ストリムコードはＡｄｖａｎｃｅｄ  Ｖｉｄｅｏ  Ｃｏｄｉｎｇ (ＡＶＣ圧縮コード規格Ｈ.２６４)伝送ストリムであることを特徴とするミュージックセンターに変身できる液晶テレビ。
【発明の詳細な説明】
【技術分野】
【０００１】
本発明は一種の液晶テレビ、特にミュージックセンターに変身できる液晶テレビに関わるもので、液晶テレビは音楽再生モードのみの機能を有する。
【背景技術】
【０００２】
半導体生産技術の目覚ましい発展により、同じ面積のチップにより多くのトランジスタを収容できる。このため、電子製品の機能も従来に比べて向上しているほか、電子製品のサイズも軽薄短小化が進められている。液晶テレビは公知技術のブラン管テレビに対して、小型化の長所があり、ハイテクのイメージがある。液晶テレビは従来のブラン管テレビに比べて、スクリーン幅が広いため、視覚上により良い感じを与える。さらに、一部の液晶テレビも５.１チャンネルまたはドルビ効果出力が装備されている。これにより、利用者は液晶テレビの音声装置により、高音質の音楽を楽しむことができる。
【０００３】
しかしながら、利用者は液晶テレビ映像プログラムではなく、音声装置より音楽のみ、または証券の相場を聴きたい、画像を不要のとき、液晶テレビの復号装置とパネルのバックライトはなお電源がオンしている。このため、電気を浪費するほか、液晶パネルの寿命に影響を与える。よって、公知技術の液晶テレビに多くの欠点が残り、改善の必要がある。
【発明の開示】
【発明が解決しようとする課題】
【０００４】
本発明は、バックライトの電源をオフにし、液晶テレビに音声のみを出力させることにより、電気の節約を実現する一種のミュージックセンターに変身できる液晶テレビの提供を主な目的とする。
【０００５】
本発明は、映像復号装置を待機モードに設定し、液晶テレビは音声のみを出力することにより、電気の節約を実現する一種のミュージックセンターに変身できる液晶テレビの提供をもう一つの目的とする。
【０００６】
本発明の特徴は、一種のミュージックセンターに変身できる液晶テレビに関わるもので、主に液晶テレビより音楽を再生するとき、映像復号装置とパネルのバックライトの電源をオフする。液晶テレビはテレビチューナ、映像音声アナログ変換器、音響復号装置、液晶パネル、制御装置、指令入力装置を設ける。テレビチューナはテレビ信号を受信し、このテレビ信号を復号した上、第１映像伝送ストリムと第１音声伝送ストリムを生成する。
【０００７】
映像アナログ／デジタル変換器は映像音声信号を受信し、この映像音声信号を変換した上、第２映像伝送ストリムと第２音声伝送ストリムを生成する。
【０００８】
音声復号装置は、テレビチューナと音声アナログ／デジタル変換器に接続し、選択により、第１と第２音声伝送ストリムを復号した上音声信号を生成する。
【０００９】
音声復号装置は、テレビチューナと音声アナログ／デジタル変換器に接続し、第１と第２音声伝送ストリムを受信し、選択により第１と第２映像伝送ストリムを復号した上、映像信号を生成する。映像復号装置は正常モードと待機モードを設ける。
【００１０】
液晶パネルは映像信号を受信して、再生する。液晶パネルにバックライト制御端を設け、バックライト制御端に第１状態と第２状態を設ける。液晶パネルは選択により、第１状態は液晶パネルのバックライト電源をオンするか、または第２状態の選択により、液晶パネルのバックライト電源をオフにする。
【００１１】
制御装置は音声復号装置、映像復号装置、液晶パネルに接続し、制御装置は音声復号装置、映像復号装置、および液晶パネルに対して初期化および作業モードの設定を行う。指令入力装置は制御装置に接続し、指令を受信する。
【００１２】
そのうち、指令入力装置が受信した指令は映像復号装置電源およびバックライト電源のオフ指令のとき、制御装置より制御信号を生成し、バックライト制御端を第２状態に設定して、液晶パネルを駆動して、バックライト電源をオフさせ、映像復号装置を待機モードに設定する。
【課題を解決するための手段】
【００１３】
請求項１の発明は、テレビチューナ、映像アナログ／デジタル変換器、音声復号装置、映像復号装置、液晶パネル、制御装置及び指令入力装置を含み、
テレビチューナはテレビ信号を受信し、このテレビ信号を復号した上、第１映像伝送ストリムと第１音声伝送ストリムを生成し、
映像アナログ／デジタル変換器は映像音声信号を受信し、この映像音声信号を変換した上、第２映像伝送ストリムと第２音声伝送ストリムを生成し、
音声復号装置はテレビチューナと音声アナログ／デジタル変換器に接続し、第１と第２音声伝送ストリムを受信し、並びに選択により、第１と第２音声伝送ストリムを復号した上、音声信号を生成する、
映像復号装置を設け、テレビチューナと音声アナログ／デジタル変換器に接続し、映像伝送ストリムを受信し、並びに選択により第１と第２映像伝送ストリムを復号した上、映像信号を生成し、映像復号装置は正常モードと待機モードを設け、
液晶パネルは映像信号を受信および再生を行い、液晶パネルにバックライト制御端を設け、バックライト制御端に第１状態と第２状態を設け、液晶パネルは選択により、第１状態は液晶パネルのバックライト電源をオンするか、または第２状態の選択により、液晶パネルのバックライト電源をオフにし、
制御装置は音声復号装置、映像復号装置、および液晶パネルに接続し、制御装置は音声復号装置、映像復号装置、および液晶パネルに対する初期化および作業モードを設定し、  指令入力装置は制御装置に接続し指令を受信し、
そのうち、指令入力装置が受信した指令は映像復号装置電源およびバックライト電源のオフ指令のとき、制御装置より制御信号を生成し、バックライト制御端を第２状態に設定して、液晶パネルを駆動して、バックライト電源をオフさせ、映像復号装置を待機モードに設定することを特徴とする一種のミュージックセンターに変身できる液晶テレビとしている。
請求項２の発明は、請求項１記載のミュージックセンターに変身できる液晶テレビにおいて、更に音声装置を含み、該音声装置は音声復号装置に接続して音声信号を再生することを特徴とするミュージックセンターに変身できる液晶テレビとしている。
請求項３の発明は、請求項１記載のミュージックセンターに変身できる液晶テレビにおいて、テレビチューナはデジタル式またはアナログ式テレビチューナであり、映像音声アナログ／デジタル変換器は、映像音声信号変換器であることを特徴とするミュージックセンターに変身できる液晶テレビとしている。
請求項４の発明は、請求項１記載のミュージックセンターに変身できる液晶テレビにおいて、指令入力装置は操作パネルに設けたキーであることを特徴とするミュージックセンターに変身できる液晶テレビとしている。
請求項５の発明は、請求項１記載のミュージックセンターに変身できる液晶テレビにおいて、指令入力装置は操作パネルに設けたタッチキーであることを特徴とするミュージックセンターに変身できる液晶テレビとしている。
請求項６の発明は、請求項１記載のミュージックセンターに変身できる液晶テレビにおいて、指令入力装置は赤外線受信装置を設け、赤外線リモコンの指令を受信することを特徴とするミュージックセンターに変身できる液晶テレビとしている。
請求項７の発明は、請求項６記載のミュージックセンターに変身できる液晶テレビにおいて、赤外線受信装置と制御装置は同じ集積回路に統合されることを特徴とするミュージックセンターに変身できる液晶テレビとしている。
請求項８の発明は、請求項７記載のミュージックセンターに変身できる液晶テレビにおいて、赤外線受信装置は映像復号装置とバックライト電源オフに反対する指令を受信したとき、制御装置より制御信号を生成し、映像復号装置とバックライト制御端を第１状態に設定して、液晶パネルを駆動して、バックライト電源をオンさせ、映像復号装置を正常モードに設定することを特徴とするミュージックセンターに変身できる液晶テレビとしている。
請求項９の発明は、請求項３記載のミュージックセンターに変身できる液晶テレビにおいて、映像音声信号はＨＤＭＩ伝送ストリムであることを特徴とするミュージックセンターに変身できる液晶テレビとしている。
請求項１０の発明は、請求項３記載のミュージックセンターに変身できる液晶テレビにおいて、映像音声信号はＤＶＩ伝送ストリムであることを特徴とするミュージックセンターに変身できる液晶テレビとしている。
請求項１１の発明は、請求項３記載のミュージックセンターに変身できる液晶テレビにおいて、映像音声信号はＰＣ  Ｄ−ＳＵＢ伝送ストリムであることを特徴とするミュージックセンターに変身できる液晶テレビとしている。
請求項１２の発明は、請求項３記載のミュージックセンターに変身できる液晶テレビにおいて、映像音声信号は混合ビデオＣｏｍｐｏｓｉｔｅ  Ｖｉｄｅｏ(ＡＶ ｖｉｄｅｏ)伝送ストリムであることを特徴とするミュージックセンターに変身できる液晶テレビとしている。
請求項１３の発明は、請求項３記載のミュージックセンターに変身できる液晶テレビにおいて、映像音声信号はＹ／Ｃ分離信号(Ｓ−Ｖｉｄｅｏ)伝送ストリムであることを特徴とするミュージックセンターに変身できる液晶テレビとしている。
請求項１４の発明は、請求項３記載のミュージックセンターに変身できる液晶テレビにおいて、映像音声信号は色差信号Ｃｏｌｏｒ  Ｄｉｆｆｅｒｅｎｃｅ  Ｖｉｄｅｏ(ＣＶ)すなわち、コンポネント・ビデオ (ＹＰｂＰｒ)伝送ストリムであることを特徴とするミュージックセンターに変身できる液晶テレビとしている。
請求項１５の発明は、請求項３記載のミュージックセンターに変身できる液晶テレビにおいて、伝送ストリムコードはＭＰＥＧ２伝送ストリムであることを特徴とするミュージックセンターに変身できる液晶テレビとしている。
請求項１６の発明は、請求項３記載のミュージックセンターに変身できる液晶テレビにおいて、伝送ストリムコードはＭＰＥＧ４伝送ストリムであることを特徴とするミュージックセンターに変身できる液晶テレビとしている。
請求項１７の発明は、請求項３記載のミュージックセンターに変身できる液晶テレビにおいて、伝送ストリムコードはＡｄｖａｎｃｅｄ  Ｖｉｄｅｏ  Ｃｏｄｉｎｇ (ＡＶＣ圧縮コード規格Ｈ.２６４)伝送ストリムであることを特徴とするミュージックセンターに変身できる液晶テレビとしている。
【発明の効果】
【００１４】
本発明は一種のミュージックセンターに変身できる液晶テレビに関わるもので、主に液晶テレビより音楽を再生するとき、映像復号装置と液晶パネルのバックライトの電源をオフする。液晶テレビはテレビチューナ、映像音声アナログ変換器、音響復号装置、液晶パネル、制御装置、指令入力装置を設ける。液晶パネルにバックライト制御端、バックライト制御端に第１状態と第２状態を設ける。液晶パネルは第１状態と第２状態の選択に従い、液晶パネルのバックライト電源をオンまたはオフする。一方、映像復号装置に正常モード／待機モードを設ける。指令入力装置が受信した指令はバックライト電源のオフ指令のとき、制御装置より制御信号を生成し、バックライト制御端を第２状態に設定して、液晶パネルを駆動して、バックライト電源をオフさせ、映像復号装置を待機モードに設定する。
【発明を実施するための最良の形態】
【００１５】
本発明のミュージックセンターに変身できる液晶テレビは、液晶テレビが音声のみを再生するとき、パネルのバックライト電源をオフにし、映像復号装置を待機モードに設定して、省電力の効果を実現する。
【００１６】
図１に示すものは、本発明のミュージックセンターに変身できる液晶テレビ１００の表示図である。液晶テレビ１００は液晶パネル１１０、操作パネル１２０を設ける。操作パネル１２０に複数個のキー１３０、赤外線受信装置１４０およびタッチキー１５０を設ける。利用者は複数個のキー１３０により、音量設定、輝度設定、またはチャンネル選択など液晶テレビ１００に対する関連設定を行うことができる。赤外線受信装置１４０は赤外線リモコン１６０より伝送する指令を受信する。利用者がタッチキー１５０をタッチ操作し、対応する信号を生成することにより、液晶テレビ１００を制御する。
【００１７】
図２に示すものは、ミュージックセンターに変身できる液晶テレビ１００内部の電気回路図である。液晶テレビ１００は音声のみを再生するとき。液晶パネル１１０のバックライト電源(図示していない)をオフにし、映像復号装置を待機モードに切り換える。図２に示すものは、液晶テレビ１００内部の電気回路図である。おもにテレビチューナ２１０、映像音声アナログ／デジタル変換器２７０、音声復号装置２２０、映像復号装置２３０、液晶パネル１１０、制御装置２４０、指令入力装置２５０および音声装置２６０より構成する。
【００１８】
テレビチューナ２１０はデジタル式またはアナログ式テレビチューナを設ける。テレビチューナ２１０はテレビ信号を受信し、このテレビ信号を復号した上、第１映像伝送ストリムと第１音声伝送ストリムを生成する。第１映像伝送ストリムはＭＰＥＧ２伝送ストリム、ＭＰＥＧ４伝送ストリム、またはＨ.２６４伝送ストリムである。
【００１９】
音声アナログ／デジタル変換器２７０は映像音声信号変換器を設ける。映像音声信号変換器２７０は映像音声信号を受信し、映像音声信号は映像復号装置２３０により、第２映像伝送ストリムと音声復号装置２２０により、第２音声伝送ストリムを生成する。
【００２０】
音声アナログ／デジタル変換器２７０はＨＤＭＩ伝送ストリム、ＤＶＩ伝送ストリム、ＰＣ  Ｄ−ＳＵＢ伝送ストリム、合成ビデオ信号Ｃｏｍｐｏｓｉｔｅ  Ｖｉｄｅｏ (ＡＶ ｖｉｄｅｏ) 伝送ストリム、Ｙ／Ｃ分離信号(Ｓ−Ｖｉｄｅｏ) 伝送ストリム、色差ビデオ信号Ｃｏｌｏｒ  Ｄｉｆｆｅｒｅｎｃｅ  Ｖｉｄｅｏ (ＣＶ)、すなわち、コンポネント・ビデオ (ＹＰｂＰｒ) 伝送ストリムの映像音声信号を受信する。
【００２１】
音声復号装置２２０は、テレビチューナ２１０と音声アナログ／デジタル変換器２７０に接続し、選択により、第１と第２音声伝送ストリムを復号した上音声信号を生成する。本発明において、音声装置２６０はスピーカを設け、音声復号装置２２０に接続し、音声信号を再生する。
【００２２】
映像復号装置２３０は、テレビチューナ２１０と音声アナログ／デジタル変換器２７０に接続し、選択により、第１と第２音声伝送ストリムを復号した上音声信号を生成する。映像復号装置２３０はＭＰＥＧ２伝送ストリム、ＭＰＥＧ４伝送ストリム、またはＨ.２６４伝送ストリムの復号を実行し、映像信号を生成する。
【００２３】
制御装置２４０は音声復号装置２２０、映像復号装置２３０、液晶パネル１１０に接続し、制御装置２４０は音声復号装置２２０、映像復号装置２３０、および液晶パネル１１０に対して初期化および作業モードの設定を行う。
【００２４】
図３に示すものは、本発明の指令入力装置２５０と制御装置２４０の電気回路図である。指令入力装置２５０は制御装置２４０に接続し、指令を受信する。指令入力装置２５０は操作パネル１２０に設ける複数個のキー１３０のいずれである。指令入力装置２５０は操作パネル１２０上のタッチキー１５０に設ける。指令入力装置２５０は操作パネル１２０上に赤外線受信装置１４０を設けて、赤外線リモコン１６０の指令を受信する。赤外線受信装置１４０は制御装置２４０と合わせて、一つの集積回路に整合する。
【００２５】
液晶パネル１１０により、映像信号の受信および再生する。液晶パネル１１０にバックライト制御端３１０を設け、バックライト制御端に第１状態と第２状態を設ける。液晶パネル１１０は第１状態を選択により、液晶パネル１１０のバックライト電源(図示していない)をオンするか、または第２状態を選択により、液晶パネル１１０のバックライト電源をオフする。おなじく、映像復号装置２３０に正常モードと待機モードを設ける。
【００２６】
利用者は液晶テレビ１００の音声装置で音楽を楽しむのみ、映像プログラムを観賞しないとき、利用者は赤外線リモコン１６０、タッチキー１５０、または複数個のキー１３０のいずれを押すことにより、映像復号装置とバックライト電源オフ指令を生成する。そのうち、指令入力装置２５０が受信した指令は映像復号装置電源およびバックライト電源のオフ指令のとき、制御装置２４０より制御信号を生成し、バックライト制御端３１０を第２状態に設定して、液晶パネル１１０を駆動して、バックライト電源をオフさせ、映像復号装置を待機モードに設定する。このとき、利用者は音楽を楽しむことができる。本発明の液晶テレビ１００の映像復号装置およびパネルのバックライト電源をオフにして、省電力の目的を実現する。
【００２７】
利用者がふたたび赤外線リモコン１６０、タッチキー１５０または複数個のキー１３０のいずれを押すことにより、映像復号装置とバックライト電源オフに反対する指令が生成される。指令入力装置２５０は映像復号装置とバックライト電源オフに反対する指令を受信したとき、制御装置２４０は制御信号を生成し、バックライト制御端３１０を第１状態に設定して、液晶パネル１１０を駆動して、バックライト電源をオンさせ、映像復号装置を正常モードに設定する。本発明は液晶テレビ１００パネルのバックライト電源のみをオフにし、映像復号装置２３０を待機モードに切り換える。よって、映像を観賞するため、液晶テレビ１００のバックライト電源をオンしたとき、液晶テレビ１００の映像復号装置２３０とパネル１１０はテレビの映像信号を素早く表示される。
【００２８】
前記に開示されたとおり、本発明は液晶テレビ１００、映像復号装置２３０およびパネル１１０のバックライト制御端３１０を介して、液晶パネル１１０のバックライト電源をオフにし、映像復号装置２３０を待機モードに切り換えることができる。このとき、利用者は音楽を楽しみ、液晶テレビ１００も省電力の目的を実現できる。
【図面の簡単な説明】
【００２９】
【図１】本発明のミュージックセンターに変身できる液晶テレビの表示図である。
【図２】本発明のミュージックセンターに変身できる液晶テレビの内部電気回路図である。
【図３】本発明の指令入力装置と制御装置の電気回路図である。
【符号の説明】
【００３０】
１００  液晶テレビ
１２０  操作パネル
１４０  赤外線受信装置
１６０  赤外線リモコン
２１０  デジタル／アナログテレビチューナ
２３０  映像復号装置
１１０  液晶パネル
１３０  キー
１５０  タッチキー
２２０  音声復号装置
１１０  液晶パネル
２４０  制御装置
２６０  音声装置
２７０  音声アナログ／デジタル変換器
３１０  バックライト制御端
２５０  指令入力装置
【図１】
2007184889.tif 000003
【図２】
2007184889.tif 000004
【図３】
2007184889.tif 000005